(57)【要約】【課題】  新しく開発されたマゼンタインクを用いたマゼンタの色はL*≒41、a*≒82、b*≒-24の特性を有し、従来のマゼンタインクとの差はΔL*≒-4、Δa*≒0、Δb*≒-26で、明度が低くb*がとても小さい値をとる。このような新マゼンタインクを用いてレッドの色を再現すれば、そのままでは明度や彩度が低く、くすんだ色になり、見た目に好ましい色にはならない。【解決手段】  第一の色再現範囲に含まれる色を入力し(S201)、入力色を第一の色再現範囲よりも狭い第二の色再現範囲の色に変換する(S202)際に、第二の色再現範囲で再現される、L* ≒ 45〜50、a* ≒ 67〜70、b* ≒ 50〜55で定義されるレッドを有する三次元ルックアップテーブル202により色変換を行う。【選択図】    図3
2006086935.tif 000002
【特許請求の範囲】
【請求項１】
第一の色再現範囲に含まれる色を前記第一の色再現範囲よりも狭い第二の色再現範囲の色に変換する色処理方法であって、
前記変換は、前記第二の色再現範囲で再現される、L* ≒ 45〜50、a* ≒ 67〜70、b* ≒ 50〜55で定義されるレッドの色を考慮したものであることを特徴とする色処理方法。
【請求項２】
第一の色再現範囲に含まれる色を前記第一の色再現範囲よりも狭い第二の色再現範囲の色で再現する色処理方法であって、
前記第二の色再現範囲で再現されるレッドの色はL* ≒ 45〜50、a* ≒ 67〜70、b* ≒ 50〜55で定義されることを特徴とする色処理方法。
【請求項３】
前記レッドの色は、好ましくはL* = 46、a* = 69、b* = 52と定義されることを特徴とする請求項1または請求項2に記載された色処理方法。
【請求項４】
前記変換は、前記レッドの色を再現する色材として、L* ≒ 41、a* ≒ 82、b* ≒ -24で定義されるマゼンタの色を再現する色材、および、L* ≒ 88、a* ≒ 4、b* ≒ 105で定義されるイエローの色を再現するイエローの色材を考慮したものであることを特徴とする請求項1から請求項3の何れかに記載された色処理方法。
【請求項５】
前記色材はインクジェットプリンタ用のインクであることを特徴とする請求項4に記載された色処理方法。
【請求項６】
第一の色再現範囲に含まれる色を前記第一の色再現範囲よりも狭い第二の色再現範囲の色に変換する変換手段を有する色処理装置であって、
前記変換手段は、前記第二の色再現範囲で再現される、L* ≒ 45〜50、a* ≒ 67〜70、b* ≒ 50〜55で定義されるレッドの色を考慮した変換を行うことを特徴とする色処理装置。
【請求項７】
所定の色空間の画像データを記録材の色空間の画像データに変換する画像処理方法であって、
前記所定の色空間の画像データを、前記記録材の色空間内で再現可能な色のうち、色相を変化させても彩度が高い色に対応する画像データに変換することを特徴とする画像処理方法。
【請求項８】
前記変換を、写真画像に実施することを特徴とする請求項7に記載された画像処理方法。
【請求項９】
記憶色の再現を重視した画像処理が設定された場合、前記変換を実施することを特徴とする請求項7に項記載された画像処理方法。
【請求項１０】
前記画像処理は、プリンタドライバが写真画像処理を行う場合に実施されることを特徴とする請求項7に記載された画像処理方法。
【請求項１１】
前記色相を変化させても彩度が高い色に対応する画像データへの変換は、レッドの画像データに実施され、前記色相の変化はレッドの色相をイエローの色相側にずらすものであることを特徴とする請求項7に記載された画像処理方法。
【請求項１２】
所定の色空間の画像データを記録材の色空間の画像データに変換するプリンタドライバであって、
前記所定の色空間の画像データを、前記記録材の色空間内で再現可能な色のうち、色相が変化しても彩度が高い色に対応する画像データに変換することを特徴とするプリンタドライバ。
【請求項１３】
色処理装置を制御して、請求項1から請求項5、請求項7から請求項11の何れかに記載された色処理または画像処理を実現することを特徴とするプログラム。
【請求項１４】
請求項13に記載されたプログラムが記録されたことを特徴とする記録媒体。
【発明の詳細な説明】
【技術分野】
【０００１】
本発明は色処理装置およびその方法に関し、例えば、広い色再現範囲に含まれる色を、より狭い色再現範囲の色に変換する色処理に関する。
【背景技術】
【０００２】
大きさが異なる二つ色再現範囲において、広い色再現範囲の色空間（例えばディジタルカメラのRGB色空間）に存在し、狭い色再現範囲の色空間（例えばプリンタのCMYK色空間）には存在しない色を、狭い色再現範囲の色空間でどのように再現するかは、例えば特開2004-104604公報にあるように等色相線を選択したり、同一に見える領域を選択したりするなど、あくまで同じ色に見える領域の選択によっている。
【０００３】
レッドの色は、マゼンタの色材とイエローの色材の組み合わせにより再現する。つまり、マゼンタの色材を用いたマゼンタの色がL*a*b*色空間上でL*≒45、a*≒82、b*≒2の特性を有し、イエローの色材を用いたイエローの色がL*a*b*空間上でL*≒88、a*≒4、b*≒105の特性を有す二つの色材を用いてレッドの色を再現する。
【０００４】
ところが、マゼンタの色材であるインクが新しく開発され（以下「新マゼンタインク」と呼ぶ）、新マゼンタインクを用いたマゼンタの色はL*a*b*空間上でL*≒41、a*≒82、b*≒-24の特性を有する。従って、従来のマゼンタインク（以下「旧マゼンタインク」と呼ぶ）との差分はΔL*≒-4、Δa*≒0、Δb*≒-26になり、明度が低くb*がとても小さい値をとる。
【０００５】
なお、イエローの色材であるインクも新しく開発された（以下「新イエローインク」と呼ぶ）が、その特性（色）は従来のイエローインク（以下「旧イエロータインク」と呼ぶ）とほとんど同じである。
【０００６】
このような特性を有する新マゼンタインクと新イエローインクを用いてレッドの色を再現すれば、そのままでは明度や彩度が低く、くすんだ色になり、見た目に好ましい色にはならない。そこで、如何にして見た目に好ましいレッドの色を再現するかであるが、上記の特開2004-104604公報のように等色相線を用いれば、狭い色再現範囲の色空間上では見た目の色相を近くすることができるが、彩度が低くなってしまう場合が多い。この場合、くすんだ薄い印象の色になり、写真再現などを考慮すると、本来とは違う印象の色になってしまう。
【０００７】
さらに、同一色に感じられる許容領域がある場合はよいが、色再現範囲がその許容範囲を超えて異なる場合は対応することができない。
【０００８】
【特許文献１】特開2004-104604公報
【発明の開示】
【発明が解決しようとする課題】
【０００９】
本発明は、上述の問題を個々にまたはまとめて解決するもので、見た目に好ましい色を再現することを目的とする。
【課題を解決するための手段】
【００１０】
本発明は、前記の目的を達成する一手段として、以下の構成を備える。
【００１１】
本発明は、第一の色再現範囲に含まれる色を第一の色再現範囲よりも狭い第二の色再現範囲の色に変換する際に、第二の色再現範囲で再現される、L* ≒ 45〜50、a* ≒ 67〜70、b* ≒ 50〜55で定義されるレッドの色を考慮した変換を行うことを特徴とする。
【００１２】
また、第一の色再現範囲に含まれる色を第一の色再現範囲よりも狭い第二の色再現範囲の色で再現する際に、第二の色再現範囲で再現されるレッドの色はL* ≒ 45〜50、a* ≒ 67〜70、b* ≒ 50〜55で定義されることを特徴とする。
【００１３】
また、所定の色空間の画像データを記録材の色空間の画像データに変換する際に、所定の色空間の画像データを、記録材の色空間内で再現可能な色のうち、色相を変化させても彩度が高い色に対応する画像データに変換することを特徴とする。
【発明の効果】
【００１４】
本発明によれば、見た目に好ましい色を再現することができる。
【発明を実施するための最良の形態】
【００１５】
以下、添付図面を参照して、本発明の好適な実施例を詳細に説明する。
【実施例１】
【００１６】
［記録装置の構造］
図1は記録装置（インクジェットカラープリンタ）の構造を示す図である。
【００１７】
図1に示す記録装置は、複数のノズル列を有する印刷ヘッド1の各ノズルからインク滴を吐出することで、記録媒体上にドットを形成して画像記録を行うデバイスである。印刷ヘッド1には、複数の異なる印刷ヘッド列1Y（イエローインク用）、1M（マゼンタインク用）、1C（シアンインク用）、1K（黒インク用）、1LM（淡マゼンタインク用）、1LC（淡シアンインク用）が配置され、それぞれ異なる色のインクを吐出する。これら異なる色のインク滴の混色により記録媒体上にはカラー画像が形成される。後述する記録装置の制御部から印刷ヘッド1へは、ケーブル9を介して印刷データが伝達される。
【００１８】
このように、実施例の記録装置は六色のインクを有する構成である。さらに、イエローインクと淡イエローインク(LY)を有する七色のインクを有する構成にしてもよい。
【００１９】
例えば、シアンインクと淡シアンインクは同系色のインクであり、異なる発色材濃度を有し、シアンインクの方が淡シアンインクより発色材の濃度が高い。なお、発色材には、染料または顔料を用いる例が多い。濃淡インクの違いは、発色材濃度だけでなく、発色材そのものに異なる材料が含まれる場合もある。また、インク中の溶剤組成なども濃淡インクで異なる場合があるが、同系色のインクという設定にかわりはない。
【００２０】
また、図1に示すような印刷ヘッド1を、一般的に、横並び方式と呼び、印刷ヘッド1を搭載するキャリッジ201の主走査方向に、複数色のインクに対応する印刷ヘッド列が配置されている。横並び方式とは別に、複数色のインクを吐出する印刷ヘッド列がキャリッジ201の主走査方向に垂直に、すなわち記録媒体の搬送方向に配置される場合を縦並び方式と呼ぶ。縦並び方式は、横並び方式に比べて少ないスペースに複数のインク色を配置できるため、記録装置の小型化に有利という利点があり、各色のインクの打ち込み順序が両方向印刷時でも変わらないため、横並び方式に比べて両方向印刷時の色むらが少ない利点もある。
【００２１】
印刷ヘッド1を搭載するキャリッジ201の走査速度および位置（印刷位置）は、速度検知部5によって検出され、記録装置の制御部は、この検出結果に基づきキャリッジ201の主走査方向の移動制御を行う。キャリッジ201を移動する動力源はキャリジ駆動モータ8で、キャリッジ駆動モータ8の回転は、ベルト7および6を介してキャリッジ201に伝達され、キャリッジ201は摺動軸4上を移動する。なお、キャリッジ201の走査中に印刷が行われる。
【００２２】
回復ユニット400は、印刷ヘッド1の状態を常に良好に保つ機能を有し、回復ユニット400のキャップ列420が非印刷状態の印刷ヘッド1のインク吐出面を閉塞し、乾燥などを防止する。なお、キャリッジ201と回復ユニット400が対向する位置をホームポジション(HP)と呼ぶ。
【００２３】
次に、印刷動作中の回復ユニット400の機能を説明する。
【００２４】
実際の印刷動作においては、一つの印刷ヘッド列内のすべてのノズルが常に用いられるとは限らない。また複数色の印刷ヘッド列を有するとしても、印刷データが供給されない不使用の印刷ヘッド列もある。このように、キャリッジ201の走査中に、印刷ヘッド列がキャップされてない状態で、ある時間連続してインクの非吐出だと印刷ヘッド列の表面が乾燥して発色剤が固着するなどによりインクの吐出性能が低下し、画像劣化が生ずる場合がある。この現象を防止するため、ある時間間隔で、印刷以外に印刷ヘッド列内のノズルにインクを吐出させ、印刷ヘッド列の表面の状態を常に最適に保つ。この動作を予備吐出と呼ぶ。予備吐出によって吐出さえるインクは、記録媒体や記録装置内に飛散して汚れが発生しないように、回復ユニット400内のキャップ420に向けて吐出され、不図示の回復ポンプにより吸引されて廃インクタンク内に貯蔵される。従って、印刷中に予備吐出を行う際は、片方向印刷、両方向印刷ともにキャリッジ201をHPに戻し、キャップ列420に対向させる必要がある。
【００２５】
また、記録媒体は、後述する紙送りモータ305により駆動された紙送り部材（ゴムローラ等）により副走査方向へ送られる。図1に示す矢印Aの方向から供給される記録媒体は、印刷位置に到達して印刷ヘッド1により印刷され、その後、排紙機構2、3により矢印Bの方向に排出される。
【００２６】
また、インクは、インクカートリッジ10K、10C、10LC、10M、10LM、10Yから印刷ヘッド1まで、各色ごとに供給される。なお、実施例では、濃淡シアンインク、濃淡マゼンタインクはそれぞれ同一のカートリッジに収納されている。
【００２７】
［記録装置の制御構成］
図2は記録装置の制御構成例を示すブロック図である。
【００２８】
制御部301は、マイクロプロセッサなどのCPU 310、CPU 310が実行する制御プログラム、後述する色処理のプログラム、各種データを記憶するROM 311、CPU 310が各種処理を実行する際にワークエリアとして使用され、各種データを一時的に保持するRAM 312などを備え、記録装置全体の動作を制御する。また、RAM 312は、インタフェイス(I/F)306を介してホストコンピュータ100から入力される印刷データを一時記憶する受信バッファ、各色インクの印刷ヘッド列に対応して印刷データを一時記憶するプリントバッファが割り当てられる。
【００２９】
ヘッドドライバ302は、制御部301から出力される各色の印刷データに応じて、各色インクの印刷ヘッド列を駆動する。また、制御部301の制御に応じて、モータドライバ303はキャリジ駆動モータ8を、モータドライバ304は紙送り用モータ305をそれぞれ駆動する。
【００３０】
操作部307は、ユーザが記録装置の動作を設定するために操作する各種キーや、制御部301が記録装置の動作状態などを表示するための表示器を備える。
【００３１】
［色処理］
図3は印刷用の画像信号処理（色処理）を示すフローチャートである。なお、図5に示す色処理の一部または全部を記録装置が行う場合、ホストコンピュータ100が行って、その結果を記録装置に送信する場合があり、本実施例においてはどちらでも構わない。
【００３２】
ディジタルカメラやスキャナなどの画像入力機器、あるいは、コンピュータ処理などによって得られたRGBの原画像信号は、色処理AによりR'G'B'信号に変換される(S201)。色処理Aは、原画像信号RGBを記録装置の色再現範囲に適応した画像信号R'G'B'へ変換する処理である。
【００３３】
次に、R'G'B'信号は、色処理部Bにより各色インクに対応する信号に変換される(S202)。本実施例の記録装置は六色構成であるから、変換後の信号はシアン、マゼンタ、イエロー、ブラック、淡シアンおよび淡マゼンタに対応する濃度信号C1、M1、Y1、K1、LC1、LM1である。なお、具体的な色処理Bは、R、G、B入力、C、M、Y、K、LC、LM出力の三次元ルックアップテーブル(3D LUT)202を使用し、格子点から外れる入力値については、その周囲の格子点の出力値から補間により出力値を求める。
【００３４】
次に、ガンマ補正テーブルを用いるガンマ補正により濃度信号C1、M1、Y1、K1、LC1、LM1をガンマ補正し(S203)、量子化によりガンマ補正後の濃度信号C2、M2、Y2、K2、LC2、LM2を二値化して(S204)、印刷ヘッド列1C、1M、1Y、1K、1LC、1LMに転送する画像信号C3、M3、Y3、K3、LC3、LM3を得る。なお、量子化（二値化）手法には誤差拡散法やディザ法を用いる。ディザ法は、各画素の濃度信号に対する閾値が異なる所定のディザパターンを使用して二値化を行う手法である。
【００３５】
［色再現範囲の比較］
図4は均等色空間（L*a*b*色空間）の色再現範囲をa*b*平面で表す図である。
【００３６】
図4において、太実線は、旧マゼンタインクを使用する場合の、○記号で示すホワイトから、同様に○記号で示す一次色（シアン、マゼンタ、イエロー）および二次色（レッドA、ブルー、グリーン）への色の変化を示す色相線である。また、一次および二次色の六色を色相順に結ぶ細実線は、旧マゼンタインクを使用する場合の色再現範囲の境界を示す。
【００３７】
一方、太破線は、新マゼンタインクを使用する場合の、ホワイトから、●記号で示すレッドBへの色の変化を示す色相線である。また、イエロー、レッドBおよびマゼンタを結ぶ細破線は、新マゼンタインクを使用する場合の色再現範囲の境界を示す。図4に示すように、新マゼンタインクを使用する色再現範囲（以下「色再現範囲B」と呼ぶ）は、旧マゼンタインクを使用する場合の色再現範囲（以下「色再現範囲A」と呼ぶ）よりも狭い。
【００３８】
因みに、上述した色相線を用いてレッドの色を再現する方法は、レッドBとマゼンタを結ぶ細破線とホワイトとレッドAを結ぶ太実線の交点をレッドと定義する（△記号で示すレッドC）。この方法で定義されるレッドCは、色再現範囲Bで最大彩度が実現でき、レッドの色相線上にあるから色相としては適している。しかし、その彩度はレッドBよりも低く、見た目にはくすんだレッドになり、好ましい色再現とは言えない。また、条件によっては、レッドBよりも明度が下がり、彩度低下と相俟って、さらに薄くくすんだ色になる場合がある。
【００３９】
図5はホワイトからレッドAおよびBへ、そして黒への色の変化を、縦軸を明度L*、横軸を彩度（クロマ）として示す図である。なお、彩度は、a*b*平面上の原点からの距離であるから、a*b*平面の色(a1*, b1*)の彩度値cは式(1)で表される。
c = √(a1*2 + b1*2)      …(1)
【００４０】
図5において、実線は旧マゼンタインクを使用した場合のホワイトからレッドA、そして黒に至る色の変化を示し、破線は新マゼンタインクを使用した場合のホワイトからレッドB、そして黒に至る色の変化を示している。実線で示す特性は、L*=95の辺りから明度が下がりつつ彩度が上がってL*≒49で最大彩度になり、その後、明度と彩度が下がって黒色に至る。また、破線で示す特性は、L*=95の辺りから明度が下がりつつ彩度が上がってL*≒45で最大彩度になり、その後、明度と彩度が下がって黒色に至る。図5に示すように、新マゼンタインクを使用すると、レッド領域において明度-彩度特性も狭いことがわかる。
【００４１】
［レッド領域の色変換方法］
上述したように、新マゼンタインクを使用する場合、その色再現範囲Bは、レッドの領域において、旧マゼンタインクを使用する場合の色再現範囲Aに比べて狭く、さらに、レッド領域において明度-彩度特性も狭いことがわかる。
【００４２】
このような、新マゼンタインクを使用する場合、図4に示す色再現範囲Bの最高彩度を利用するために、レッドの色相をイエロー寄りに設定（つまり、図4に示すホワイトからレッドBへの色相線を使用する）してレッドBを再現する。なお、色相がイエロー寄りのレッドBは、レッドAに比べて黄色っぽく見える。また、通常、イエローはレッドよりも明度が高いので、ホワイトからレッドAへの色相を維持して得られるレッドCよりも、レッドBの明度は高く、明るく見える。
【００４３】
つまり、レッドAとレッドBは見た目には明らかに異なる色であるが、ホワイトからレッドAへの色相を維持した、彩度や明度を落としたレッドCよりも、レッドBは見た目に好ましいレッドと言える。従って、写真画像のように、いわゆる記憶色の再現を重視する場合、色の正確さだけでなく、好ましい印象の色が重要なため、単純に色相や明度だけを合わせたレッドCよりも、レッドBを採用する方が好ましい。
【００４４】
従って、図3に示す色処理Bに使用する3D LUT 202のレッド領域のテーブルを、ホワイトとレッドBを結ぶ色相線に基づき作成すれば、レッドBを再現する色処理Bが実現される。
【００４５】
レッドBの具体的な数値範囲は、均等色空間L*a*b*上で下記のように定義できる。
L* ≒ 45〜50, a* ≒ 67〜70, b* ≒ 50〜55
【００４６】
L*が上記の範囲よりも小さい場合は見た目が暗くなり、印象が悪化するので不適当である。逆に、L*が上記の範囲よりも大きい場合は、そもそも色再現範囲が狭くないので、本実施例には該当しない。
【００４７】
また、a*が上記の範囲よりも大きい場合は、さらに彩度と明度の低下が考えられ不適である。逆に、a*が上記の範囲よりも小さい場合は、黄色くなりすぎて不適である。
【００４８】
また、b*が上記の範囲よりも大きい場合は、黄色くなりすぎて不適である。逆に、上記の範囲よりも小さい場合は、彩度が低下し明度が上がるため薄い色になり、やはり不適である。
【００４９】
なお、実施例におけるレッドBの中心値としては下記があげられる。
L* = 46, a* = 69, b* = 52
【００５０】
因みに、レッドAの値は下記で、a*が74と大きいのに、L*が49まで出るため、本来の適切なレッドが再現される。
L* ≒ 49, a* ≒ 74, b* ≒ 50
【００５１】
上記レッドAの値と、レッドBの中心値の色差ΔEは下記のようになる。
ΔE ＝ √{(49 - 46)2 + (69 - 74)2 + (50 - 52)2} = 6.2  …(2)
【００５２】
目視で異なる色と認識できるΔEの値は2から3程度とされている。従って、色差ΔE=6.2を有するレッドAとレッドBは、充分、異なる色と認識される。なお、上記のL*a*b*値は、GretagMacbeth社製のSpectrolinoを用いて測色した。その際の測色条件は、次のとおりである。
光源：D50
視野角：2度
白基準：絶対（白色板による補正）
フィルタ：なし
【００５３】
また、前述したレッドの値はL*a*b*空間での表記としたが、他の色空間に変換した値としても同様であることは言うまでもない。
【００５４】
このように、本実施例によれば、記録可能な色再現範囲に存在しない色を、新マゼンタインクを用いて記録可能な色再現範囲内に変換する際、レッド領域の色の決定は、旧マゼンタインクにより再現可能なレッドの色相線よりもイエロー寄りにずれた、新マゼンタインクにより再現可能なレッドの色相線を利用することで、測色的かつ見た目にも同一の色ではないが、写真画像を再現する場合に好ましいレッド領域の色を再現することができる。
【００５５】
［記録装置への適用］
上述した新マゼンタインクの色再現を考慮した色変換を実現するには、記録装置のROM 311に上述した色処理B用の3D LUT 202を格納すればよい。また、ホストコンピュータ100において色処理Bを行う場合は、上述した色処理B用の3D LUT 202を有するプリンタドライバをホストコンピュータ100にインストールすればよい。
【００５６】
そして、プリンタドライバが提供するユーザインタフェイス上で記憶色の再現を重視するモードが指示された場合に上述した彩度（さらには明度）を重視した色変換を実現してもよい。また、プリンタドライバ（プリンタコントローラ）が、入力画像のオブジェクトが写真、文字、グラフィックスの何れかを自動的に判定する機能を有する場合、その判定結果に基づき、記憶色の再現を重視する写真画像領域に対応する画像データに、上述した彩度（さらには明度）を重視した色変換を実現してもよい。
【００５７】
また、記録装置において、旧マゼンタインクと新マゼンタインクが併用される可能性がある場合は、両インクに対応する色処理B用の三次元ルックアップテーブルをROM 311に格納しておき、操作部307の操作によって、色処理Bに使用する三次元ルックアップテーブルを切り替える。さらに、新マゼンタインクが登場する以前の記録装置で新マゼンタインクを使用する場合は、例えば、ホストコンピュータ100からRAM 312へ新マゼンタインク用の三次元ルックアップテーブルをダウンロードして色処理Bに適用すればよい。
【００５８】
［他の実施例］
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００５９】
また、本発明の目的は、前述した実施例の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。この場合、記憶媒体から読み出されたプログラムコード自体が前述した実施例の機能を実現することになり、そのプログラムコードを記憶した記憶媒体は本発明を構成することになる。また、コンピュータが読み出したプログラムコードを実行することにより、前述した実施例の機能が実現されるだけでなく、そのプログラムコードの指示に基づき、コンピュータ上で稼働しているオペレーティングシステム(OS)などが実際の処理の一部または全部を行い、その処理によって前述した実施例の機能が実現される場合も含まれることは言うまでもない。
【００６０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施例の機能が実現される場合も含まれることは言うまでもない。
【００６１】
本発明を上記記憶媒体に適用する場合、その記憶媒体には、先に説明したフローチャートに対応するプログラムコードが格納されることになる。
【図面の簡単な説明】
【００６２】
【図１】記録装置の構造を示す図、
【図２】記録装置の制御構成例を示すブロック図、
【図３】印刷用の画像信号処理（色処理）を示すフローチャート、
【図４】均等色空間の色再現範囲をa*b*平面で表す図、
【図５】ホワイトからレッドAおよびBへ、そして黒への色の変化を、縦軸を明度L*、横軸を彩度として示す図である。
【図１】
2006086935.tif 000003
【図２】
2006086935.tif 000004
【図３】
2006086935.tif 000005
【図４】
2006086935.tif 000006
【図５】
2006086935.tif 000007